(57)【特許請求の範囲】
【請求項１】
画像信号も具えるテレビジョン信号の音声信号により変調された中間周波数搬送発振波（ＩＦ音声信号）の振幅を第１制御時定数で制御を行う装置によって制御する振幅制御回路であって、前記装置を、前記画像信号のレベルが予め設定された値の範囲内の値と仮定したときに第２制御時定数で前記制御を行うように可逆的に切り替えることができるように構成し、前記第２制御時定数を前記第１制御時定数より小さい値とした振幅制御回路において、前記第２制御時定数が有効な画像信号の予め設定された値の範囲を、前記画像信号レベルの公称値より低い値にし、前記制御時定数の一つの制御時定数により制御が行われる前記装置は、前記ＩＦ音声信号振幅を設定する装置に対する設定信号を記憶する記憶手段と、前記制御時定数の一つの制御時定数に応じて記憶される情報を可逆的に切り替えることができる少なくとも一つの記憶切替装置とを具え、前記記憶手段はキャパシタンスを具え、かつ、前記記憶切替装置は少なくとも可逆的に切替自在な電流源を具えることを特徴とする振幅制御回路。
【請求項２】
前記第１又は第２制御時定数で制御が行われる前記装置を、少なくとも一つの追加の制御時定数にも可逆的に切り替えられるようにすることを特徴とする請求項１記載の振幅制御回路。
【請求項３】
前記テレビジョン信号が第１伝送基準に基づいて形成される場合少なくとも前記第１又は第２制御時定数が有効であり、かつ、前記テレビジョン信号が追加の伝送基準に基づいて形成される場合少なくとも一つの前記追加の時定数が有効であることを特徴とする請求項２記載の振幅制御回路。
【請求項４】
前記ＩＦ音声信号が閾値を超える瞬時を検出する検出装置を設け、この検出装置により前記装置を、前記追加の制御時定数の他の一つの制御時定数で制御を行うように可逆的に切り替えることができるようにしたこと特徴とする請求項２又は３記載の振幅制御回路。
【請求項５】
前記画像信号の黒レベルを、前記制御時定数を選択するために評価されたレベルとして用いることを特徴とする請求項１から４のうちのいずれか１項に記載の振幅制御回路。
【請求項６】
少なくとも前記第１制御時定数で前記記憶手段を可逆的に切り替えるために、前記電流源の少なくとも一つの電流に、前記記憶手段に供給される逆電流を形成するために乗算段において変調された前記ＩＦ音声信号から得られる乗算信号を乗算することを特徴とする請求項１から５のうちのいずれか１項に記載の振幅制御回路。
【請求項７】
前記ＩＦ音声信号を変調し、かつ、前記ＩＦ搬送発振波の振幅に相当する直流電圧及び好ましくは低周波数音声信号を供給する回路と、直流電圧を直流電流に変換し、好ましくは低周波数音声信号を音声信号電流に更に変換する回路と、動作点電流を直流電流及び好ましくは音声信号電流に重ね合わせる電流源と、前記重ね合わせられた電流を供給することができる抵抗及び基準電圧源によって構成された直列回路配置と、前記抵抗に発生した電圧を増幅する増幅回路とを具えることを特徴とする請求項１記載の振幅制御回路。
【請求項８】
前記増幅回路は前記乗算信号を発生することを特徴とする請求項６記載の振幅制御回路。
【発明の詳細な説明】
【０００１】
【産業上の利用分野】
本発明は、画像信号も具えるテレビジョン信号の音声信号により変調された中間周波数搬送発振波（ＩＦ音声信号）の振幅を第１制御時定数で制御を行う装置によって制御する振幅制御回路に関するものである。
【０００２】
【従来の技術】
このような回路配置は、ビデオ及びオーディオ技術において自動利得制御として既知である。Ｌ及びＬ′伝送基準のＩＦ搬送発振波に振幅変調されたテレビジョン信号の音声信号を、低歪処理して復調する場合、例えば約１秒の比較的大きい時定数が要求される。その結果、このように構成された自動利得制御は妨害及び歪みに対して十分安定となる。
【０００３】
【発明が解決しようとする課題】
しかしながら、このような利得制御を用いる受信機（例えばテレビジョン受像機）がある伝送チャネルから他の伝送チャネルに切り替えられるとき、このような回路配置では、自動利得制御を再び行い、かつ、音声再生が安定した値に設定されるまでに長時間要するおそれがある。上述した制御時定数の大きさを用いるこのような回路では、チャネル切替後音声が再び正常な大きさになるまでに約２〜３秒経過することが確認されている。このような回路配置をテレビジョン信号の音声信号を処理するのに用いると、このために構成されたテレビジョン受像機は新たなチャネルに切り替える際に非常に急速に、好ましくは１００ｍｓ以内に画像信号を表示し、それに対して音声再生は上述したように約２〜３秒経過するまで安定とならない。
【０００４】
本発明の目的は、画像及び音声再生が、チャネルを切り替える際に音声信号の伝送品質が妨げられることなく同様に急速に安定状態になる上述したタイプの回路を提供することである。
【０００５】
【課題を解決するための手段】
本発明は、上述したタイプの回路配置においてこの目的を達成するために、前記装置を、前記画像信号のレベルが所定の範囲の値を示すときに第２制御時定数を有する前記制御が実行されるように、逆転することができるように構成したことにより解決する。
【０００６】
本発明の回路配置によれば、特に一方のチャネルから他方のチャネルに切り替える際に発生するおそれのある音声信号により変調されたＩＦ搬送発振波振幅（以下簡単のためにＩＦ音声信号と称する）の公称値からの大きい偏差を急速に安定にすることができる。この制御処理中には、音質を悪化することなくできるだけ急速に最終状態になることが重要である。しかしながら、第１制御時定数に戻すことによって安定にした後に、音質に対する要件は安定後（再び）開始する受信動作に対して保証される。しかしながら、妨害又は他の障害すなわちＩＦ音声信号が中断される場合にも、本発明によれば伝送品質が改善される。
【０００７】
本発明の回路配置は、前記第２制御時定数を前記第１制御時定数より小さい値とし、前記第２制御時定数が有効な画像信号の予め設定された値の範囲を、前記画像信号レベルの公称値より低い値にすると有利である。この場合、ＩＦ音声信号振幅の偏差は小さい制御時定数で特に安定となり、すなわちチャネル切替時の短い時間において画像信号がないとき、又は極めて小さいとき非常に急速に安定となる。このようなチャネル切替時に、新たに選択されたチャネルの画像及び音声はこの場合好ましくは、所望の振幅すなわち伝送品質で少なくともほぼ同時に発生する。
【０００８】
本発明の他の好適例では、前記第１又は第２制御時定数で制御が行われる前記装置を、少なくとも一つの追加の制御時定数にも逆転できるようにする。好ましくは好適な制御動作をあらゆる他の動作状態に対して行うことができる。
【０００９】
追加の制御時定数に対する逆転すなわち切替は、前記テレビジョン信号が第１伝送基準に基づいて形成される場合少なくとも前記第１又は第２制御時定数が有効であり、かつ、前記テレビジョン信号が追加の伝送基準に基づいて形成される場合少なくとも一つの前記追加の制御時定数が有効である場合特に有利である。したがって本発明の回路配置は、種々の伝送基準に対して可調整なテレビジョン信号処理用の回路配置に簡単にかつ少数の構成素子を用いて使用することができる。したがってこのような回路配置を、簡単、高信頼性かつ廉価にテレビジョン信号処理用の回路配置に組み込むことができる。
【００１０】
本発明の他の好適例は、前記ＩＦ音声信号が閾値を超える瞬時を検出する検出装置を設け、この検出装置により前記装置を、前記追加の制御時定数の他の一つによって制御することにより可逆的に切り替えることができるようにすることを特徴とするものである。したがって本発明の回路配置によれば、簡単に音声信号の振幅のオーバーシュートに応答しないようにすることができる。この場合、例えばチャネル切替の際に発生する煩わしいスイッチングノイズを避けることができる。
【００１１】
本発明の好適例は、前記制御時定数の一つの制御時定数により制御が行われる前記装置は、前記ＩＦ音声信号振幅を設定する装置に対する設定信号を記憶する記憶手段と、前記制御時定数の一つの制御時定数に応じて記憶される情報を逆転することができる少なくとも一つの記憶逆転装置とを具える場合に得られる。このような回路配置は、記憶手段に記憶された一定の設定信号で、したがって一定値に設定されたＩＦ音声信号振幅により、安定した動作状態で動作する。この設定は、記憶手段を可逆的に切り替えることによって変えることができ、そのタイプ及び変化速度すなわち制御プロセスの方向及び速度は、逆転すなわち切替方向及び記憶逆転装置によって与えることができる速度に依存する。この切替の速度は選択された制御時定数を生じる。このような回路配置において、前記記憶手段はキャパシタンスを具え、かつ、前記記憶逆転装置は少なくとも逆転すなわち切替自在な電流源を具える。同様に、前記記憶手段を、ディジタル設定信号を記憶するように構成し、前記記憶逆転装置は、前記記憶手段に記憶された設定信号の値が選択された制御時定数によって決定されるステップで変化することができる回路を具えるようにしてディジタル制御を行うことができる。好ましくは、記憶手段は、選択された制御時定数に従って異なる速度でおいてカウントアップ又はカウントダウンし、対応する制御時定数に従って変化する設定信号を出力するカウンタを具える。
【００１２】
本発明の他の好適例を他の従属項に記載する。
【００１３】
【実施例】
図１に示す回路では、ＩＦ搬送発振波に変調された音声信号が、入力端子１を介して可調整な利得を有する増幅器２に供給される。増幅器２において所望の振幅に設定されたＩＦ音声信号は、増幅器２の出力部３から、更に処理し、次いで例えば音声再生装置において再生するためにＩＦ音声出力端子４に供給されるとともに、振幅復調器６の入力部５にも供給される。振幅復調器６において、ＩＦ搬送発振波に変調された音声信号は復調され、かつ、出力部７から低周波数音声信号すなわちベースバンドの音声信号として供給される。好ましくは、振幅復調器６の出力部７は、低周波数音声信号及びＩＦ搬送発振波振幅に相当する電圧を供給する。この電圧は、次の電圧−電流変換器８において音声信号電流及び直流に変換され、これらの電流を電圧−電流変換器８の出力部９から生じさせる。
【００１４】
出力部９を、接地された電流源１１の端子に接続する。この電流源１１は出力部９から大地に動作点電流ＩＯを流す。更に出力部９を、入力抵抗１２と基準電圧源１３との直列配置に接続し、この直列配置の他端も接地する。基準電圧源１３は好ましくは、この回路の電源電圧の半分に相当する電圧を供給する。音声信号電流及びＩＦ搬送発振波振幅を表す出力部９における直流電流を表す電圧、すなわちベースバンドの音声信号及びＩＦ搬送発振波振幅が入力抵抗１２に生じる。この電圧は制御増幅器１６の２個の入力端子１４，１５に供給される。この制御増幅器１６を差動増幅段として構成し、反転入力部を基準電圧源１３から基準電圧が供給される入力端子１５とするのが好ましい。制御増幅器１６の他の入力端子１４を、差動増幅段の非反転入力部によって構成する。
【００１５】
更に、出力部９を端子１０に接続し、この端子１０を介して低周波数音声信号すなわちベースバンドの音声信号をこの回路から好ましくは、出力部９の電流負荷なしに端子１０を介して取り出すことができ、かつ、この音声信号を後続の処理例えば音声再生装置で再生するために生じさせることができる。
【００１６】
制御増幅器１６の出力部１７は、振幅復調器６の出力部７からの復調音声信号から得られる乗算信号を、電圧−電流変換器８及び制御増幅器１６を介して発生させる。この乗算信号は、ＩＦ音声信号の振幅が動作点電流ＩＯによって決定されるＩＦ音声信号の公称値に安定される場合ゼロの値を示し、かつ、この振幅がこの公称値より高い値又はより低い値にそれぞれ制御されるべき場合正又は負の値を示す。
【００１７】
制御増幅器１６の出力部１７からの乗算信号は、乗算段１９の乗算信号入力部１８に供給される。この乗算段１９は装置２０の一部を形成し、この装置２０により選択可能な制御時定数のＩＦ音声信号振幅の制御を実行する。図示した実施例においてこの装置２０に組み込まれた構成素子を一点鎖線内に示す。
【００１８】
伝送基準Ｌ又はＬ′に基づくテレビジョン信号を有する予め決定されたチャネルを受信する有効な動作において、第１制御時定数でＩＦ音声信号振幅を制御するために、装置２０は第１電流Ｉ１を発生する第１電流源２１を具える。第１制御時定数の所望の大きい値に対応して、第１電流Ｉ１は小さい値を有する。
【００１９】
第１電流Ｉ１が第１電流源２１から乗算段１９の電流入力部２２に供給される。乗算段１９において、第１電流Ｉ１に、乗算信号入力部１８からの乗算信号が乗算され、これによって逆電流Ｉが形成され、この逆電流Ｉは、乗算段１９により切替電流出力部２３から供給され、かつ、記憶キャパシタ２４に供給される。記憶キャパシタ２４は、可調整な利得を有する増幅器２に対する設定信号を記憶する記憶手段を構成する。この設定信号は記憶キャパシタ２４からリード線２５を介して増幅器２に供給される。
【００２０】
入力端子１に供給されるＩＦ音声信号振幅を第２制御時定数で制御するために、第１電流Ｉ１に加えて第２電流Ｉ２を電流入力部２２に供給して第１及び第２電流の和Ｉ１＋Ｉ２に乗算信号を乗算したものを逆電流Ｉとして使用することができる。第２電流Ｉ２は好ましくは第１電流Ｉ１に比べて大きくし、これに応じて記憶キャパシタ２４のより高速逆転が行われ、したがって第２制御時定数の値が第１制御時定数の値に比べて低くなる。
【００２１】
第２電流Ｉ２は第２電流源２６から発生し、図示する実施例の第２電流源２６は、画像信号コンパレータ２７の一部を形成し、この画像信号コンパレータ２７の第１入力部２８が基準電圧源２９からの基準電圧を受信し、第２入力部３０が評価すべき所定の画像信号レベルを受信する。好ましくは、画像信号の黒レベルは評価すべき所定の画像信号レベルとして利用する。このために、画像信号コンパレータ２７の第２入力部３０を黒レベル検出器３１の出力部３２に結合し、この黒レベル検出器３１の入力端子３３はビデオ復調器（図示せず）からのビデオ信号を受信する。この黒レベル検出器３１はこのビデオ信号から既知の方法で黒レベルを決定し、この黒レベルは出力部３２から供給され、黒レベル検出器３１の出力部３２から画像信号コンパレータ２７の第２入力部３０までの接続と、大地との間に配置されたキャパシタ３４に記憶される。黒レベル検出器３１とキャパシタ３４とを、例えば本発明の回路が用いられるテレビジョン受像機のＩＦ画像段に組み込むことができる。これらのＩＦ画像段の範囲を、図において破線３５で示す。
【００２２】
画像信号コンパレータ２７は、第２入力部３０における黒レベルと、第１入力部２８における基準電圧源２９からの基準電圧とを比較する。黒レベルが基準電圧によって与えられた閾値以下に降下する場合、画像信号コンパレータ２７は第２電流源２６をスイッチオンする。その結果、装置２０は第２制御時定数に逆転すなわち切り替わる。代わりにこの動作を、電流源２６から供給される電流が連続的に好ましくは黒レベルと閾値との間の差に比例して変化するように行うこともできる。したがって、連続的に変化する制御時定数の値が得られる。時定数制御を、黒レベルの関数として複数の時定数の一つを選択するようにして段階的に行うこともできるのは明らかである。
【００２３】
図示した実施例は、第２電流源２６と電流入力部２２との間の接続中に挿入されたスイッチ３６も具え、このスイッチ３６を、伝送基準Ｌ及びＬ′が用いられる場合これらの伝送基準Ｌ及びＬ′用の伝送基準選択装置３７を介して導通するように配置する。これらの伝達基準Ｌ及びＬ′で動作する場合にのみ、第２制御時定数を用いた音声信号は急速に安定となる。このようなスイッチ３６及びこのような伝送基準選択装置３７を、他の伝送基準に対しても、又は、検索同調とともに用いることもできる。
【００２４】
本発明の回路を、他の伝送基準（図示した例ではＢＧ基準）で音声信号を受信及び処理するのに用いる場合、第３電流源３８を、この場合必要とされる第３制御時定数用に設ける。この第３電流源３８は第３電流Ｉ３を発生し、かつ、第２伝送基準選択装置４０によりスイッチ３９を介して接続することができる。
【００２５】
装置２０は、第４電流源４２を用いて形成されたコンパレータ４１を具える検出装置も含み、この第４電流源４２を用いて第４電流Ｉ４を記憶キャパシタ２４に供給することができる。検出装置中のコンパレータ４１は、ＩＦ音声信号の振幅が閾値を超えたかどうかを検出する。電圧−電流変換器８の出力部９から供給される直流電流（この直流電流はＩＦ搬送発振波振幅を表す）及び入力抵抗１２に発生する電圧をコンパレータ４１の第１の非反転入力部４３に供給する。接地された基準電流源４５及び制御増幅器１６の入力端子１５（反転入力）したがって基準電圧源１３に接続された基準抵抗４６をコンパレータ４１の第２の反転入力部４４に接続する。閾値が、基準電流源４５、基準抵抗４６及び基準電圧源１３により形成される。コンパレータ４１の第１入力部４３の電圧がこの閾値を超えると、このコンパレータ４１が第４電流Ｉ４をスイッチオンし、したがって記憶キャパシタ２４を非常に急速に逆転し、リード線２５を介して増幅器２に供給される設定信号により増幅器２の利得が非常に急速に減少され、したがって検出される超過が安定化される。その結果、音声信号から発生する音声再生装置の大きいクリックの発生すなわち閾値の超過が、特にハイレベル送信機にチャネル切替する場合に回避される。図示した実施例において、検出装置４１，４５，４６は全ての伝送基準で同一に動作する。
【００２６】
本発明の回路の設計例では、第２電流Ｉ２の電流密度を第１電流Ｉ１の電流密度の値の８倍以上に選択した。第３電流Ｉ３を第１電流Ｉ１の値の１０倍に固定するとともに、第４電流Ｉ４を例えば第１電流Ｉ１の値の１０００倍に固定した。この設計例において、基準電圧源１３から供給される基準電圧を回路全体に対する供給電圧の半分に固定した。
【図面の簡単な説明】
【図１】本発明の実施例のブロックダイヤグラムを示す。
【符号の説明】
１，１４，１５，３３  入力端子
２  増幅器
３，７，９，１７，３２  出力部
４  ＩＦ音声出力端子
５  入力部
６  振幅復調器
８  電圧−電流変換器
１０  端子
１１  電流源
１２  入力抵抗
１３，２９，４５  基準電圧源
１６  制御増幅器
１８  乗算信号入力部
１９  乗算段
２０  装置
２１  第１電流源
２２  電流入力部
２３  逆電流出力部
２４  記憶キャパシタ
２６  第２電流源
２７  画像信号コンパレータ
２８，４３  第１入力部
３０，４４  第２入力部
３１  黒レベル検出器
３４  キャパシタ
３５  破線
３６，３９  スイッチ
３７，４０  伝送基準選択装置
３８  第３電流源
４１  コンパレータ
４２  第４電流源
４６  基準抵抗
ＩＯ  動作点電流
Ｉ  逆電流
Ｉ１  第１電流
Ｉ２  第２電流
Ｉ３  第３電流
Ｉ４  第４電流
Ｌ，ＢＧ  伝送基準
【図１】
0003706639.tif 000002